(57)【要約】【課題】  ポンプディスペンサーが取り付けられた容器内の液体が、有毒な物質であっても、安心して使用することができ且つ安全なロータリノズル付きポンプディスペンサーを提供する。【解決手段】  ロータリノズル付きポンプディスペンサー１１のロータリノズル１５には、ロータリノズル１５の回動を防止するために、回動防止部材１６が取り付けられ、回動防止部材１６には、ロータリノズル１５に取り付けられるノズル取付部１６ｂと、ヒンジ部１６ｃを介してノズル取付部１６ｂに対して回動可能に設けられ且つロータリノズル１５の噴射口側を覆うために設けられたカバー部１６ｄと、該カバー部１６ｄに連結されトリガー１４の液体噴射方向への回転を拘束するためのロック部と、を設けた。【選択図】  図１
2005112388.tif 000002
【特許請求の範囲】
【請求項１】
シリンダ内の液体を噴射可能な開状態と噴射を阻止する閉状態とに切替え可能なロータリノズルから、トリガーの回動力によってピストンを介しシリンダ内の液体を圧縮して噴出するロータリノズル付きポンプディスペンサーであって、
ロータリノズルには、ロータリノズルの回動を防止するために、回動防止部材が取り付けられ、
該回動防止部材は、
ロータリノズルに取り付けられるノズル取付部と、
ノズル取付部に対して回動可能に設けられ、且つロータリノズルの噴射口側を覆うために設けられたカバー部と、
該カバー部に連結され、トリガーの液体噴射方向への回動を拘束するためのロック部と、
を有することを特徴とするロータリノズル付きポンプディスペンサー。
【請求項２】
請求項１に記載のロータリノズル付きポンプディスペンサーにおいて、
前記ロック部は、
一対の対向する挟持板からなり、
該一対の挟持板の間には、トリガーが挟み込まれることを特徴とするロータリノズル付きポンプディスペンサー。
【請求項３】
請求項２に記載のロータリノズル付きポンプディスペンサーにおいて、
前記挟持板の内側面には突起部が形成され、
該突起部がトリガーに係止されることによりトリガーの液体噴射方向への回動が拘束されることを特徴とするロータリノズル付きポンプディスペンサー。
【請求項４】
請求項２に記載のロータリノズル付きポンプディスペンサーにおいて、
前記一対の挟持板の後端側を互いに接近するように摘むと、先端側の一対の挟持板の間隔が拡開するものであること特徴とするロータリノズル付きポンプディスペンサー。
【請求項５】
請求項４に記載のロータリノズル付きポンプディスペンサーにおいて、
前記挟持板の後端側の外側面には、指で摘むときの滑止用に、挟持板幅方向に複数の線状の突起又は溝が形成されたことを特徴とするロータリノズル付きポンプディスペンサー。
【請求項６】
請求項４に記載のロータリノズル付きポンプディスペンサーにおいて、
前記挟持板の後端側の外側面には、円板状の摘み部が形成されたことを特徴とするロータリノズル付きポンプディスペンサー。
【請求項７】
請求項４に記載のロータリノズル付きポンプディスペンサーにおいて、
前記一対の挟持板の間に、先端側の一対の挟持板の間隔が拡開するのを阻止するための切離し可能なバージンプレートが挟み込まれていることを特徴とするロータリノズル付きポンプディスペンサー。
【請求項８】
請求項１に記載のロータリノズル付きポンプディスペンサーにおいて、
前記カバー部のヒンジ部側には、掛部又は被掛部が形成され、
ノズル取付部には、該掛部又は被掛部と掛合する被掛部又は掛部が形成されたことを特徴とするロータリノズル付きポンプディスペンサー。
【請求項９】
請求項１に記載のロータリノズル付きポンプディスペンサーにおいて、
前記ノズル取付部には、切離し可能な薄肉部を介して拘束帯体が一体成形され、
回動防止部材をロータリノズルに取り付けた際に、前記拘束帯体が被ロータリノズル隣接部材の外側面を覆うようにされたことを特徴とするロータリノズル付きポンプディスペンサー。
【請求項１０】
請求項９に記載のロータリノズル付きポンプディスペンサーにおいて、
前記拘束帯体は、Ｌ字状又はコの字状に形成され、端部が外方に傾斜する摘み部を備え、該摘み部により摘み易くされたことを特徴とするロータリノズル付きポンプディスペンサー。
【請求項１１】
請求項１〜１０のいずれか１項に記載のロータリノズル付きポンプディスペンサーを備えたことを特徴とする容器。
【発明の詳細な説明】
【技術分野】
【０００１】
本発明は、ポンプディスペンサーから幼児等が意図せずに液体を噴射してしまい不測の事故が発生するのを防止することができるロータリノズル付きポンプディスペンサーに関する。
特に、シリンダ内の液体を噴射可能な開状態と噴射を阻止する閉状態とに回動して切替え可能なロータリノズルに、ロータリノズル及びトリガーの回動を防止するために、回動防止部材が取り付けられたロータリノズル付きポンプディスペンサーに関する。
【背景技術】
【０００２】
従来、シリンダ内の液体を噴射可能な開状態と噴射を阻止する閉状態とに切替え可能なロータリノズルに、ロータリノズル及びトリガーの回動を防止するために、回動防止部材が取り付けられたロータリノズル付きポンプディスペンサーとして、図１５に記載のものが知られている（特許文献１参照）。
【０００３】
このロータリノズル１には、筒状のスリーブ２が囲繞されている。
スリーブ２は、筒部２ａとアーム部２ｂとアーム部２ｂの先端側に形成された突起部２ｃとを有している。
そして、筒部２ａにロータリノズル１を挿通し、突起部２ｃをトリガー３に引掛けるようにすると、ロータリノズル１の一方向（図１５中、時計回り方向）への回動と、トリガー３の液体噴射方向への回動とが拘束される。
【０００４】
【特許文献１】米国特許６００６９５０号公報
【発明の開示】
【発明が解決しようとする課題】
【０００５】
しかしながら、上述したようなロータリノズル１及びトリガー３の回動を防止する方法では、スリーブ２の一方向への回動が、突起部２ｃがトリガー３に係合することで阻止されるが、他方向へ力が加わると、容易にロータリノズル１が回動し、ロータリノズル１が閉状態から開状態へと変化してしまう。
【０００６】
そのため、幼児やペット等が悪戯して意図せずに液体を噴射してしまい、その液体が有毒な物質である場合には不測の事態が発生することがあった。
また、スリーブ２の一方向への回動というシングルアクションにより、トリガー３の拘束が解除され、且つロータリノズル１が開状態に近づくことから、安全性の面で十分なものではなかった。
一方、ポンプディスペンサーを使用後には、噴出口に液体が残留する場合があるので、この液体が有毒な物質であれば、次に使用する人が指で触れたりする危険があった。
【０００７】
本発明は、かかる技術背景をもとになされたもので、上記の従来技術の問題点を克服するためになされたものである。
すなわち、本発明は、ポンプディスペンサーが取り付けられた容器内の液体が、有毒な物質であっても、安心して使用することができ且つ安全なロータリノズル付きポンプディスペンサーを提供することを目的とする。
【課題を解決するための手段】
【０００８】
請求項１に記載の発明は、シリンダ内の液体を噴射可能な開状態と噴射を阻止する閉状態とに切替え可能なロータリノズルから、トリガーの回動力によってピストンを介しシリンダ内の液体を圧縮して噴出するロータリノズル付きポンプディスペンサーであって、ロータリノズルには、ロータリノズルの回動を防止するために、回動防止部材が取り付けられ、該回動防止部材は、ロータリノズルに取り付けられるノズル取付部と、ノズル取付部に対して回動可能に設けられ、且つロータリノズルの噴射口側を覆うために設けられたカバー部と、該カバー部に連結され、トリガーの液体噴射方向への回動を拘束するためのロック部と、を有することに存する。
【０００９】
請求項２に記載の発明は、請求項１に記載のロータリノズル付きポンプディスペンサーにおいて、前記ロック部は、一対の対向する挟持板からなり、該一対の挟持板の間には、トリガーが挟み込まれることに存する。
【００１０】
請求項３に記載の発明は、請求項２に記載のロータリノズル付きポンプディスペンサーにおいて、前記挟持板の内側面には突起部が形成され、該突起部がトリガーに係止されることによりトリガーの液体噴射方向への回動が拘束されることに存する。
【００１１】
請求項４に記載の発明は、請求項２に記載のロータリノズル付きポンプディスペンサーにおいて、前記一対の挟持板の後端側を互いに接近するように摘むと、先端側の一対の挟持板の間隔が拡開するものであることに存する。
【００１２】
請求項５に記載の発明は、請求項４に記載のロータリノズル付きポンプディスペンサーにおいて、前記挟持板の後端側の外側面には、指で摘むときの滑止用に、挟持板幅方向に複数の線状の突起又は溝が形成されたことに存する。
【００１３】
請求項６に記載の発明は、請求項４に記載のロータリノズル付きポンプディスペンサーにおいて、前記挟持板の後端側の外側面には、円板状の摘み部が形成されたことに存する。
【００１４】
請求項７に記載の発明は、請求項４に記載のロータリノズル付きポンプディスペンサーにおいて、前記一対の挟持板の間に、先端側の一対の挟持板の間隔が拡開するのを阻止するための切離し可能なバージンプレートが挟み込まれていることに存する。
【００１５】
請求項８に記載の発明は、請求項１に記載のロータリノズル付きポンプディスペンサーにおいて、前記カバー部のヒンジ部側には、掛部又は被掛部が形成され、ノズル取付部には、該掛部又は被掛部と掛合する被掛部又は掛部が形成されたことに存する。
【００１６】
請求項９に記載の発明は、請求項１に記載のロータリノズル付きポンプディスペンサーにおいて、前記ノズル取付部には、切離し可能な薄肉部を介して拘束帯体が一体成形され、回動防止部材をロータリノズルに取り付けた際に、前記拘束帯体が被ロータリノズル隣接部材の外側面を覆うようにされたことに存する。
【００１７】
請求項１０に記載の発明は、請求項９に記載のロータリノズル付きポンプディスペンサーにおいて、前記拘束帯体は、Ｌ字状又はコの字状に形成され、端部が外方に傾斜する摘み部を備え、該摘み部により摘み易くされたことに存する。
【００１８】
請求項１１に記載の発明は、請求項１〜１０のいずれか１項に記載のロータリノズル付きポンプディスペンサーを備えたことに存する。
なお、本発明の目的に添ったものであれば、上記請求項を適宜組み合わせた構成も採用可能である。
【発明の効果】
【００１９】
本発明のロータリノズル付きポンプディスペンサーによれば、開閉状態に回動可能なロータリノズルに、該ロータリノズルの回動を防止するために回動防止部材が取り付けられている。
そして、この回動防止部材は、ロータリノズルに取り付けられるノズル取付部と、該ノズル取付部にヒンジ部を介して回動可能に設けられ、且つロータリノズルの噴射口側を覆うために設けられたカバー部とを有している。
【００２０】
そのため、ポンプディスペンサーを使用後に噴出口に有害な液体が残留しても、カバー部が、ノズル前方を覆うことになり該残留した液体が露出しない。
また、次にポンプディスペンサーを使用する人が有害物質に触れてしまうということを防止することができる。
【００２１】
更にカバー部には、トリガーの液体噴射方向への回動を拘束するためのロック部が設けられていることから、液体を噴射させるためには、トリガーの回動の拘束を解除し、その後、回動防止部材を回しロータリノズルを開状態にするというダブルアクションが必要になり、意図せずに液体を噴射してしまうようなことを確実に防ぐことができる。
そのため、ポンプディスペンサーは液体が有毒な物質であっても安全であり、安心してポンプディスペンサーを使用することができる。
【００２２】
例えば、ロック部を一対の対向する挟持板からなるようにすると、該一対の挟持板の間には、トリガーが挟み込まれるので、ロータリノズルは挟持板が障壁となり時計回り及び反時計回りのどちらにも回動することができないので、ロータリノズルの回動を確実に拘束することができる。
【００２３】
また、トリガーの液体噴射方向への回動は一対の挟持板により挟持されて拘束されるので、意図せずにトリガーが引かれてしまうのを防ぐことができる。
また、ロータリノズルを閉状態にした状態で、挟持板によりトリガーを拘束すれば、液体を噴射させるのにダブルアクションが必要となる。
【００２４】
すなわち、先ず一対の挟持板によるトリガーの拘束を解き、次いでロータリノズルを回動させるという工程が必要になる。
【発明を実施するための最良の形態】
【００２５】
以下、本発明を実施するための最良の形態を図面に基づいて説明する。
図１は、本発明のロータリノズル付きポンプディスペンサーの一実施形態を示している。（Ａ）は上面図、（Ｂ）は側面図、（Ｃ）は正面図を示している。
ロータリノズル付きポンプディスペンサー１１は、液体が充填される容器に螺合される筒状のキャップ１２を有している。
【００２６】
このキャップ１２の上には、液体を吸い上げるためのピストンやシリンダ等を覆うためのシュラウド１３が設けられている。
ピストンやシリンダ等の構成例は、例えば特開２００１−２８７７６３号公報に開示されている。
【００２７】
そして、シュラウド１３の内側に設けられる部材がキャップ１２を回動自在に保持している。
そのため、容器を回動させるのではなく、キャップ１２を回動させながら、キャップ１２を容器に螺合して取り付けることができる。
シュラウド１３の先端側には、液体を噴射させるためのトリガー１４が垂下して設けられている。
【００２８】
シュラウド１３の先端側には、三角マークＳ方向（図１（Ａ）記載）を中心軸としながら略立方体状のロータリノズル１５が回動自在に取り付けられている。
このロータリノズル１５は、回動して液体の噴射を閉状態と開状態とに切替え可能である。
すなわち、初期状態（図１の状態）では液体の噴射が閉状態とされ、この初期状態から９０°どちらかの方向に回動させることで開状態となり、また初期状態から１８０°回動させると閉状態となる。
【００２９】
ロータリノズル１５には、ロータリノズル１５の回動を防止するために、回動防止部材１６が取り付けられている。
ロータリノズル１５の回動の防止は、一対の対向する挟持板１６ａからなるロック部がトリガー１４を挟持することで行われる。
【００３０】
すなわち、ロータリノズル１５は挟持板１６ａが障壁となり時計回り及び反時計回りのどちらにも回動することができないので、ロータリノズル１５の回動を確実に拘束することができる。
また、トリガー１４の液体噴射方向（図１（Ｂ）の矢印方向）への回動は一対の挟持板１６ａにより挟持されて拘束されるので、意図せずにトリガー１４が引かれてしまうのを防ぐことができる。
【００３１】
ロータリノズル１５を閉状態にし、また挟持板１６ａによりトリガー１４の動きを拘束した後、液体を噴射させるためには、ダブルアクションを必要とする。
すなわち、先ず一対の挟持板１６ａを開くことによりトリガー１４の拘束を解く工程、次いでロータリノズル１５を回動させるという工程が必要になる。
そのため、幼児やペット等がランダムにロータリノズル付きポンプディスペンサー１１を玩んで誤って液体を噴射させてしまうという危険がない。
【００３２】
次に、図２を用いて回動防止部材１６について詳細に説明する。
回動防止部材１６には、ロータリノズル１５に取り付けられる有底筒状のノズル取付部１６ｂが設けられている。
このノズル取付部１６ｂには、ロータリノズル１５の噴射口側を覆うために、ヒンジ部１６ｃを介して回動自在となるようにカバー部１６ｄが設けられている。
【００３３】
そのため、例えば、ロータリノズル付きポンプディスペンサー１１を使用した後に噴出口に有害な液体が残留しても、カバー部１６ｄがノズル前方を覆うため残留した液体は露出しない。
従って、ロータリノズル付きポンプディスペンサー１１を使用する人が有害物質に触れてしまうということを防止することができる。
【００３４】
カバー部１６ｄには、更にトリガー１４の液体噴射方向への回動を拘束するためのロック部が設けられている。
このロック部は一対の対向する挟持板１６ａからなり、この一対の挟持板１６ａの間には、トリガー１４が挟み込まれている。
そのため、ロータリノズル１５は挟持板１６ａが障壁となり時計回り及び反時計回りのどちらにも回動することができないので、ロータリノズル１５の回動を確実に拘束することができる。
【００３５】
この一対の挟持板１６ａは連結部１６ｉで支持されており、後端側（ここには複数筋の突起１６ｅが形成されている）を外側から摘むと先端側の一対の挟持板１６ａの間隔が広がるようになっている。
この複数個の突起１６ｅは、滑止用として機能し確実に指で摘むことができる。
そのため、例えば水で濡れた指で一対の挟持板１６ａを摘んでも滑り難く、回動防止部材１６とトリガー１４との連結を容易に解除することができる。
【００３６】
さて、カバー部１６ｄとノズル取付部１６ｂとの間には、仮固定部が形成されている。
すなわち、カバー部１６ｄの根元には２箇所に先端が尖った爪状の掛部１６ｆが形成されており、それに対応してノズル取付部１６ｂには被掛部１６ｇが形成され、これらが仮固定部を構成する。
カバー部１６ｄがヒンジ部１６ｃを中心に開方向（すなわち図でいう上方向）へ回動することで、カバー部１６ｄの掛部１６ｆとノズル取付部１６ｂの被掛部１６ｇの各先端が互いに掛合して仮固定される。
【００３７】
そのため、カバー部１６ｄを上方に回動した後、更にロータリノズル１５をその軸方向に回動してボンプディスペンサー１１を使用可能な状態とした場合、カバー部１６ｄをノズル取付部１６ｂに仮固定しておけば、安心して噴射が可能である。
挟持板１６ａの内側面には、断面台形状の突起部１６ｈが形成されており、後述するように、突起部１６ｈは、トリガー１４に当接することにより、トリガー１４の液体噴射方向への回動を拘束する。
【００３８】
図３は、回動防止部材１６の概略を示しており、（Ａ）は指で摘む前の状態であり、（Ｂ）は指で摘んで付勢したときの状態を示している。
図に示すように、一対の挟持板１６ａは連結部１６ｉで支持され、詳しくは薄肉部を介して連結部１６ｉと連結されている。
そして、挟持板１６ａの一方側（後端側）を指の腹で摘み挟み付けると、図３（Ｂ）に示すように、連結部１６ｉを中心にして反対側（突起部１６ｈが形成された側）が拡開する。
【００３９】
そして、付勢を解除すると、図３（Ａ）に示すように元の状態に戻る。
このように一対の挟持板１６ａの後端側を外側面側から摘むと、先端側の一対の挟持板１６ａの間隔が拡開することから、挟持板１６ａをトリガー１４から容易に取り外すことができる。
また、挟持板１６ａに複数筋の突起１６ｅが形成されたことにより指で挟持板１６ａを摘むときに挟持板１６ａから指が滑るのを防ぐことができ操作が確実となる。
【００４０】
図４は、カバー部１６ｄを開状態にしたときの状態を示している。（Ａ）は上面図、（Ｂ）は側面図、（Ｃ）は正面図を示している。
回動防止部材１６とトリガー１４との係合を解除し、カバー部１６ｄを上方に大きく回動させ、掛部１６ｆ（図２記載）を被掛部１６ｇ（図２記載）に掛止させると、図４（Ａ）〜（Ｃ）に示すような状態となる。
なお、この状態では、挟持板１６ａに形成された突起部１６ｈがロータリノズル１５の前方側に位置するようになる。
【００４１】
このようにカバー部１６ｄを開状態にすると、ロータリノズル１５の噴出口１５ａが現れる。
後は、後述するように、回動防止部材１６をロータリノズル１５と共に軸方向に回動してロータリノズル１５を開状態とすることで何時でも噴出口１５ａから液体の噴射が可能となる。
【００４２】
一方、掛部１６ｆ（図２記載）と被掛部１６ｇ（図２記載）との掛合を解いて、回動防止部材１６のロック部、すなわち一対の挟持板１６ａをヒンジ部１６ｃを中心に下方に大きく回動させる。
そして、挟持板１６ａでトリガー１４を挟み付けると、突起部１６ｈは、トリガー１４と掛合して（図４（Ｂ）中、二点鎖線）、トリガー１４の液体噴射方向への回動を確実に拘束することができる。
【００４３】
図５は、ロータリノズル１５を軸方向に９０°回動させた状態を示している。（Ａ）は上面図、（Ｂ）は側面図、（Ｃ）は正面図を示している。
このとき、ロータリノズル１５は開状態となり、トリガー１４を引くと、ロータリノズル１５から液体が噴射される。
【００４４】
すなわち、ロータリノズル１５内に形成された液体流出流路が外部と連通するようになり、この噴出口１５ａから液体が噴射されるのである。
図５（Ｃ）により、中央には、噴出口１５ａが形成されていることが理解できる。
【００４５】
さて、図６は、製造直後の回動防止部材１６を示している。（Ａ）は側面図であり、（Ｂ）はヒンジ部１６ｃ付近の拡大図である。
回動防止部材１６は、カバー部１６ｄがヒンジ部１６ｃに対して回動可能な状態でロータリノズル１５に組み付けて使用されるものであるが、回動防止部材１６の製造直後は、図に示すように、掛部１６ｆと被掛部１６ｇとは連結されており、カバー部１６ｄの回動が拘束されている。
【００４６】
この部分の拡大図である図６（Ｂ）には、その掛部１６ｆと被掛部１６ｇとが薄膜を介して連結されている状態が示されている。
この状態から、カバー部１６ｄにヒンジ部１６ｃを中心に強く回動させる力を作用させることで、薄膜が破れて掛部１６ｆと被掛部１６ｇとは分離される。
そしてカバー部１６ｄは、ノズル取付部１６ｂに対して回動自在となる。
【００４７】
図７は、図６の製造直後に形成されていた薄膜を破った後に掛部１６ｆと被掛部１６ｇとが掛合している状態を示し、（Ａ）は回動防止部材１６の全体を示しており、（Ｂ）はヒンジ部付近を拡大したものを示している。
図６（Ａ）の状態から図７（Ａ）の状態へは、掛部１６ｆが弾圧性のある被掛部１６ｇを乗り越えて下方に移動することにより達成される。
【００４８】
逆に図７（Ａ）の状態から図６（Ａ）の状態へは掛部１６ｆが弾圧性のある被掛部１６ｇを乗り越えて上方に移動することにより達成される。
このような動きは、ロータリノズル１５に回動防止部材１６を取り付けた場合にも当然起きることとなる。
【００４９】
図８（Ａ）〜図８（Ｃ）は、それぞれ回動防止部材１６の第１の変形例を示している。
図８（Ａ）に示す回動防止部材１７の挟持板１７ａには、その幅方向全体に渡る線状の突起１７ｂが２本形成されている。
そのため、回動防止部材１７を摘むのに指の腹で行えるだけでなく、例えば、爪の先端を２本の突起１７ｂ間に挿入し、付勢することもできる。
【００５０】
図８（Ｂ）は、回動防止部材１６の第２の変形例を示している。
この回動防止部材１８の挟持板１８ａの後端側の外側面には、円板状の摘み部１８ｂが形成され、この摘み部１８ｂには、円形凹部１８ｃが形成されている。
この円板状の摘み部１８ｂの大きさは指の腹程度の大きさであるので摘み易く、しかも円形凹部１８ｃにより確実に摘むことができる。
【００５１】
図８（Ｃ）は、回動防止部材１９の第３の変形例を示している。
この回動防止部材１９の挟持板１９ａにおけるやや幅広の後端側は、その端が折曲され立設部１９ｂが形成されているので、同様に指で確実に摘むことができる。
なお、挟持板１６ａ，１７ａには突起１６ｅ，１７ｂを形成した例について説明したが、溝を形成するようにしても良い。
【００５２】
次に、回動防止部材１６がロータリノズル１５と共に回動するのを阻止するための切離し可能な拘束帯体を備えた例を示す。
図９は、Ｌ字状の拘束帯体２０が、回動防止部材１６のノズル取付部１６ｂに薄肉部２０ａを介して一体となっていることを示している。
図１０は、図９の回動防止部材１６及びＬ字状の拘束帯体２０を正面から見たときの状態を示している。
【００５３】
薄肉部２０ａとノズル取付部１６ｂとを切り離すことで拘束帯体２０はノズル取付部１６ｂから分離する。
このＬ字状の拘束帯体２０は、被ロータリノズル隣接部材に相当するシュラウド１３の外側面を覆うように形成されている。
回動防止部材１６をロータリノズル１５と共に回動させると、拘束帯体２０も一体となって回動する。
【００５４】
図１１（Ａ）は、時計回りにロータリノズル１５を僅かに回動させたときの状態を示し、図１１（Ｂ）は、反時計回りにロータリノズル１５を僅かに回動させたときの状態を示している。
このように、ロータリノズル１５を僅かに回動させることによって、拘束帯体２０の内側面に、シュラウド１３の外側面が当接し、拘束帯体２０は殆ど回動することができずに、その回動を拘束される。
【００５５】
従って、拘束帯体２０を切り離すことによりロータリノズル１５を回動させることができる点でバージンシールとしての役割を果たす。
なお、拘束帯体２０を回動防止部材１６から引き離すに際しては、やや外方に傾斜した端部２０ｂを指で摘み引張り上げれば良い。
【００５６】
図１２は、コの字状の拘束帯体２１が、回動防止部材１６のノズル取付部１６ｂに薄肉部２１ａを介して一体となっていることを示している。
図１３は、図１２の回動防止部材１６及びコの字状の拘束帯体２１を正面から見たときの状態を示している。
このコの字状の拘束帯体２１も上述のＬ字状の拘束帯体２０と同じ機能を有するものであり、薄肉部２１ａを有しておりノズル取付部１６ｂから切離し可能となっている。
この場合、拘束帯体２１がコの字状であるために、シュラウド１３の外側面を覆う領域が長くなり、より確実にロータリノズル１５の回動を拘束することができる。
【００５７】
図１４は、回動防止部材１６の一対の挟持板１６ａ間にあるバージンプレート２２を示す図である。
このバージンプレート２２は、長方形状の板材であり、薄肉部２３を介して挟持板１６ａに連結されている。
このように一対の挟持板１６ａ間にバージンプレート２２が備わっているため、挟持板１６ａの後端側を強く挟み付けても先端側の間隔が広がらない。
【００５８】
そして、バージンプレート２２を摘んで薄肉部２３から引き剥がすことで、挟持板１６ａを拡開することができるようになる。
このようにバージンプレート２２を取り外さない限りは、トリガー１４から回動防止部材１６を取り外すことができないのである。
なお、バージンプレート２２の表面には、複数筋の突起２２ａが形成されており、摘んだ際に滑りにくいようにされている。
【００５９】
以上、本発明を説明してきたが、本発明は上述した一実施形態に限定されることなく、種々の変形例が可能である。
例えは、カバー部１６ｄとノズル取付部１６ｂとの間の仮固定部において、掛部は１つでも良いし、３つ以上でも良い。
【００６０】
掛部と被掛部とをカバー部１６ｄとノズル取付部１６ｂとにそれぞれ逆に設けても良い。
挟持板１６ａの形状もそのトリガー１４を挟み込むことができる限り変形可能である。
また拘束帯体は、ロータリノズル１５と共に回動防止部材１６を回動させない形状であれば採用可能である。
【図面の簡単な説明】
【００６１】
【図１】図１は、本発明のロータリノズル付きポンプディスペンサーの一実施形態を示す説明図である。（Ａ）は上面図であり、（Ｂ）は側面図であり、（Ｃ）は正面図である。
【図２】図２は、図１の回動防止部材の詳細を示す斜視図である。
【図３】図３は、図２の回動防止部材の挟持板を示す説明図である。（Ａ）は付勢前の状態を示しており、（Ｂ）は付勢後の状態を示している。
【図４】図４は、図１のロータリノズル付きポンプディスペンサーにおける挟持板を回動させた状態を示す説明図である。（Ａ）は上面図であり、（Ｂ）は側面図であり、（Ｃ）は正面図である。
【図５】図５は、図４のロータリノズルを９０°回動させた状態を示す説明図である。（Ａ）は上面図であり、（Ｂ）は側面図であり、（Ｃ）は正面図である。
【図６】図６は、図２の回動防止部材の製造直後の状態を示す説明図である。（Ａ）は回動防止部材の全体を示しており、（Ｂ）はヒンジ部付近を拡大したものを示している。
【図７】図７は、図６の薄膜を破った後に掛部と被掛部とが掛合している状態を示しており、（Ａ）は側面図であり、（Ｂ）はヒンジ部付近の拡大図である。
【図８】図８は、図２の挟持板の変形例を示す説明図である。（Ａ）は第１の変形例を示し、（Ｂ）は第２の変形例を示し、（Ｃ）は第３の変形例を示している。
【図９】図９は、Ｌ字状の拘束帯体が、回動防止部材のノズル取付部に薄肉部を介して一体となっていることを示す説明図である。
【図１０】図１０は、図９を正面から見たときの説明図である。
【図１１】図１１は、図９の帯体がロータリノズルの回動に伴って回動し、シュラウドによって拘束される状態を示す説明図である。（Ａ）は時計回りに僅かに回動させた状態を示しており、（Ｂ）は反時計回りに僅かに回動させた状態を示している。
【図１２】図１２は、コの字状の拘束帯体が、回動防止部材のノズル取付部に薄肉部を介して一体となっていることを示す説明図である。
【図１３】図１３は、図１２を正面から見たときの説明図である。
【図１４】図１４は、回動防止部材の一対の挟持板間にあるバージンプレートを示す図である。
【図１５】図１５は、従来のロータリノズル付きポンプディスペンサーを示す説明図である。
【符号の説明】
【００６２】
１  ロータリノズル
２  スリーブ
２ａ  筒部
２ｂ  アーム部
２ｃ  突起部
３  トリガー
１１  ロータリノズル付きポンプディスペンサー
１２  キャップ
１３  シュラウド
１４  トリガー
１５  ロータリノズル
１５ａ  噴出口
１６，１７，１８，１９  回動防止部材
１６ａ，１７ａ，１８ａ，１９ａ  挟持板
１６ｂ  ノズル取付部
１６ｃ  ヒンジ部
１６ｄ  カバー部
１６ｅ  突起
１６ｆ  掛部
１６ｇ  被掛部
１６ｈ  突起部
１６ｉ  連結部
１７ｂ  突起
１８ｂ  摘み部
１８ｃ  円形凹部
１９ｂ  立設部
２０，２１  拘束帯体
２０ａ，２１ａ  薄肉部
２０ｂ  端部
２２  バージンプレート
２２ａ  突起
２３  薄肉部
Ｓ  三角マーク
【図１】
2005112388.tif 000003
【図２】
2005112388.tif 000004
【図３】
2005112388.tif 000005
【図４】
2005112388.tif 000006
【図５】
2005112388.tif 000007
【図６】
2005112388.tif 000008
【図７】
2005112388.tif 000009
【図８】
2005112388.tif 000010
【図９】
2005112388.tif 000011
【図１０】
2005112388.tif 000012
【図１１】
2005112388.tif 000013
【図１２】
2005112388.tif 000014
【図１３】
2005112388.tif 000015
【図１４】
2005112388.tif 000016
【図１５】
2005112388.tif 000017